(57)【要約】【課題】  意図しないスコア部の裂けを防止することができ、かつ開栓時には容易にスコア部を引き裂くことができるキャップを得る。【解決手段】  キャップ１０は、天面壁１２と、その面に直交して延びるように形成される筒状のスカート部１４とを含む。スカート部１４の端部において、スカート部１４の外周方向に延びる摘み部１６を形成する。スカート部１４と摘み部１６との境界部から天面壁１２に向かって延びるように、薄肉状のスコア部１８を形成する。さらに、スカート部１４と摘み部１６との境界部において、スカート部１４に形成されたスコア部１８に続くようにして、摘み部１６が突き出した方向に向かって延びるようにスコア部１８を形成する。【選択図】    図１
2005297995.tif 000002
【特許請求の範囲】
【請求項１】
板状の天面壁、
前記天面壁の外周部において前記天面壁の面と交差する向きに延びるように形成される筒状のスカート部、
前記スカート部に形成される薄肉のスコア部、および
前記天面壁の反対側において前記スカート部の端部から延びるように形成されて前記スコア部を引き裂くために用いられる摘み部を含み、
前記スコア部は、前記スカート部と前記摘み部との境界部から前記天面壁に向かって延びるように形成されるとともに、前記天面壁の反対側において前記スカート部と前記摘み部との境界部から前記摘み部に沿って延びるように形成される、キャップ。
【請求項２】
前記スコア部は、前記スカート部と前記摘み部との境界部から前記天面壁に向かって延びるように形成されたのち、さらに前記スカート部の周方向に向かって延びるように形成される、請求項１に記載のキャップ。
【請求項３】
前記スコア部は、前記スカート部と前記摘み部との境界部から前記天面壁に向かって、前記スカート部の周方向と直交するように、または前記スカート部の周方向に対して斜めとなるように延びて形成される、請求項１または請求項２に記載のキャップ。
【請求項４】
前記スコア部は、前記スカート部の複数箇所に形成される、請求項１ないし請求項３のいずれかに記載のキャップ。
【請求項５】
前記摘み部は、前記スカート部の端部から筒状の前記スカート部の外周方向に突き出して形成され、前記スコア部は、前記スカート部に形成された部分に続いて前記摘み部の突き出した方向に向かって延びるように形成される、請求項１ないし請求項４のいずれかに記載のキャップ。
【請求項６】
前記摘み部は、前記スカート部の端部から筒状の前記スカート部の外周方向に突き出して形成され、前記スコア部は、前記スカート部に形成された部分に続いて前記スカート部と前記摘み部との間に形成される、請求項１ないし請求項４のいずれかに記載のキャップ。
【請求項７】
前記摘み部は、前記天面壁から前記スカート部の端部に向かう向きに突き出して形成され、前記スコア部は、前記スカート部に形成された部分に続いて前記スカート部と前記摘み部との間に形成される、請求項１ないし請求項４のいずれかに記載のキャップ。
【請求項８】
前記摘み部は、前記天面壁から前記スカート部の端部に向かう向きに突き出して形成され、前記スコア部は、前記スカート部に形成された部分に続いて前記摘み部の突き出した方向に向かって延びるように形成される、請求項１ないし請求項４のいずれかに記載のキャップ。
【発明の詳細な説明】
【技術分野】
【０００１】
この発明は、キャップに関し、特にたとえば、牛乳瓶などのような瓶を密封するためのキャップに関する。
【背景技術】
【０００２】
図２３は、従来のキャップの一例を示す側面図である。キャップ１は、円板状の天面壁２を含み、天面壁２の外周部から天面壁２の面に直交するように延びる円筒状のスカート部３が形成されている。スカート部３の内周壁には、瓶７の口部を締め付ける突条部が形成される。この突条部が瓶７の口部を締め付けることにより、キャップ１が瓶に取り付けられる。
【０００３】
さらに、スカート部３の対向する２か所に、薄肉状のスコア部４が形成される。スコア部４は、スカート部３の端部から天面壁２に向かって延びるように形成される。これらのスコア部４の近傍を連結するようにして、引張り部材５が形成される。この引張り部材５を引っ張ることにより、スコア部４が引き裂かれ、キャップ１の瓶７への締め付け力が開放される。したがって、図２４に示すように、引張り部材５を引っ張ってスコア部４を引き裂いたのち、引張り部５の反対側に形成された鍔状部６を引き上げることにより、瓶７からキャップ１を取り外すことができる（例えば、特許文献１参照）。
【０００４】
【特許文献１】特開２００３−１９１９７８号公報
【発明の開示】
【発明が解決しようとする課題】
【０００５】
しかしながら、このような従来のキャップでは、瓶にキャップを嵌めるときや、瓶の内圧が上昇してキャップを持ち上げるような力が働いたときに、スカート部の端部が広がって、スカート部の端部からスコア部が引き裂かれる場合がある。このような意図しないスコア部の裂けが発生すると、瓶内部の飲料などが漏れてしまうという問題がある。そこで、キャップの嵌め込み時などにスコア部が裂けないように、スコア部の厚みを厚くすることが考えられる。しかしながら、スコア部を厚くすると、スコア部の本来の目的であるキャップの開け易さが犠牲となってしまう。
【０００６】
それゆえに、この発明の主たる目的は、意図しないスコア部の裂けを防止することができ、かつ開栓時には容易にスコア部を引き裂くことができるキャップを提供することである。
【課題を解決するための手段】
【０００７】
この発明は、板状の天面壁と、天面壁の外周部において天面壁の面と交差する向きに延びるように形成される筒状のスカート部と、スカート部に形成される薄肉のスコア部と、天面壁の反対側においてスカート部の端部から延びるように形成されてスコア部を引き裂くために用いられる摘み部とを含み、スコア部は、スカート部と摘み部との境界部から天面壁に向かって延びるように形成されるとともに、天面壁の反対側においてスカート部と摘み部との境界部から摘み部に沿って延びるように形成される、キャップである。
このようなキャップにおいて、スコア部は、スカート部と摘み部との境界部から天面壁に向かって延びるように形成されたのち、さらにスカート部の周方向に向かって延びるように形成することができる。
また、スコア部は、スカート部と摘み部との境界部から天面壁に向かって、スカート部の周方向と直交するように、またはスカート部の周方向に対して斜めとなるように延びて形成することができる。
さらに、スコア部は、スカート部の複数箇所に形成してもよい。
また、摘み部は、スカート部の端部から筒状のスカート部の外周方向に突き出して形成され、スコア部は、スカート部に形成された部分に続いて摘み部の突き出した方向に向かって延びるように形成することができる。
さらに、摘み部は、スカート部の端部から筒状のスカート部の外周方向に突き出して形成され、スコア部は、スカート部に形成された部分に続いて摘み部とスカート部との間に形成することができる。
また、摘み部は、天面壁からスカート部の端部に向かう向きに突き出して形成され、スコア部は、スカート部に形成された部分に続いて摘み部とスカート部との間に形成することができる。
さらに、摘み部は、天面壁からスカート部の端部に向かう向きに突き出して形成され、スコア部は、スカート部に形成された部分に続いて摘み部の突き出した方向に向かって延びるように形成することができる。
【０００８】
キャップのスカート部が瓶口の外周部に押し付けられることにより、キャップが瓶に取り付けられる。そして、摘み部を引っ張ることにより、スコア部の端部から摘み部に沿って形成されたスコア部が引き裂かれ、さらにスカート部に形成されたスコア部が引き裂かれる。それにより、スカート部による瓶への締め付け力が開放され、キャップを瓶から取り外すことができる。キャップを瓶に取り付けるときなどにおいて、スカート部が広がっても、摘み部に沿って形成されるスコア部の端部には、スカート部の広がりによる力が加わらない。そのため、意図的にスコア部を引き裂く場合を除いて、スコア部の裂けを防止することができる。
このようなキャップにおいて、スカート部と摘み部との境界部から天面壁に向かって延びるスコア部をさらに延ばし、さらにスカート部の周方向に沿ってスコア部を形成することにより、スカート部を周方向に開くことができ、キャップを瓶から取り外しやすくなる。
また、スカート部におけるスコア部の向きは、スカート部の周方向に対して直交する向きであってもよいし、スカート部の周方向に対して斜めとなるように形成されてもよく、スカート部による瓶への締め付け力を解放できるものであればよい。
さらに、スコア部を複数箇所に形成すれば、これらのスコア部を引き裂くことにより、スカート部による瓶への締め付け力がより小さくなり、キャップの取り外しが容易となる。
なお、摘み部をスカート部の端部から突き出すように形成し、摘み部の突き出した方向に向かって延びるようにスコア部を形成することができる。摘み部の突き出す方向は、スカート部の外周側に向かって突き出してもよいし、天面壁からスカート部の端部に向かう方向に突き出してもよい。
また、摘み部をスカート部の端部から突き出すように形成し、摘み部とスカート部との間にスコア部を形成することができる。この場合においても、摘み部の突き出す方向は、スカート部の外周側に向かって突き出してもよいし、天面壁からスカート部の端部に向かう方向に突き出してもよい。
【発明の効果】
【０００９】
この発明によれば、スカート部の端部から延びるように摘み部が形成され、さらに摘み部に沿ってスコア部が形成されることにより、瓶へのキャップの取り付け時などにおいて、スカート部の広がりによってスコア部が引き裂かれない。そのため、瓶内の飲料などが漏れることを防止することができる。また、瓶からキャップを取り外すときには、摘み部を引っ張ることにより、スコア部の端部からスカート部に向かって引き裂くことにより、簡単にキャップを取り外すことができる。このように、瓶へのキャップの取り付け時に、スコア部が引き裂かれないため、スコア部を厚くする必要がなく、キャップを取り外すときに、容易にスコア部を引き裂くことができる。
【００１０】
この発明の上述の目的，その他の目的，特徴および利点は、図面を参照して行う以下の発明を実施するための最良の形態の説明から一層明らかとなろう。
【発明を実施するための最良の形態】
【００１１】
図１はこの発明のキャップの一例を示す斜視図であり、図２はこのキャップを一方面側からみた平面図である。キャップ１０は、円板状の天面壁１２を含む。天面壁１２の外周部において、天面壁１２に直交する向きに延びるように、円筒状のスカート部１４が形成される。スカート部１４の端部には、スカート部１４の外周方向に向かって延びる摘み部１６が形成される。さらに、スカート部１４および摘み部１６には、薄肉状のスコア部１８が形成される。スコア部１８は、スカート部１４と摘み部１６との境界部から天面壁１２に向かって、スカート部１４の周方向に直交する向きに延びて形成される。さらに、スカート部１４と摘み部１６との境界部において、天面壁１２に向かって延びるスコア部１８に続くようにして、摘み部１６が突き出した方向に向かって、スコア部１８が形成される。
【００１２】
スカート部１４の端部近傍において、図３および図４に示すように、スカート部１４の内壁から内周方向に向かって突出する第１の突条部２０が形成される。第１の突条部２０は、摘み部１６に対応する位置およびスカート部１４の内周側の数箇所を除いて、ほぼ円環状に形成される。さらに、スカート部１４の内周側において、天面壁１２に直交するようにして、円筒状の内周壁２２が形成される。内周壁２２とスカート部１４とは、天面壁１２の中央部を中心として同心円状に配置される。内周壁２２の端部には、スカート部１４側に向かって突出する第２の突条部２４が形成される。第２の突条部２４は、内周壁２２の外面側を１周するように円環状に形成される。
【００１３】
さらに、スカート部１４および内周壁２２の間において、天面壁１２から突出する２つの突起部２６が形成される。突起部２６は、スカート部１４および内周壁２２と同心円状に形成される。また、突起部２６は、天面壁１２からスカート部１４方向に向かって突出するように形成される。このキャップ１０は、合成樹脂などを用いて射出成形などにより作製される。
【００１４】
このキャップ１０は、図５に示すように、牛乳瓶などの瓶３０の口部を密閉するために用いられる。キャップ１０が瓶３０に取り付けられると、スカート部１４と内周壁２２との間において、天面壁１２に形成された突起部２６が瓶３０の口部の先端部に密着するように配置される。さらに、スカート部１４は瓶３０の外壁側に配置され、第１の突条部２０が瓶３０の外壁に圧接される。さらに、内周壁２２が瓶３０の内壁側に配置され、第２の突条部２４が瓶３０の内壁に圧接される。このように、第１の突条部２０と第２の突条部２４とが瓶３０の外側と内側とに圧接されることにより、キャップ１０が動かないように、瓶３０の口部を締め付けている。さらに、天面壁１２に形成された突起部２６が瓶３０の口部の先端部に密着することにより、瓶３０はキャップ１０によって密閉される。
【００１５】
キャップ１０を瓶３０から取り外すときには、図６に示すように、スコア部１８の一方側において、摘み部１６を引っ張ることにより、摘み部１６の端部におけるスコア部１８の端部が引き裂かれ、摘み部１６およびスカート部１４のスコア部１８が順次引き裂かれていく。それにより、第１の突条部２０による瓶３０への締め付け力が弱くなり、容易にキャップ１０を瓶３０から取り外すことができる。
【００１６】
キャップ１０を瓶３０に取り付ける際に、瓶３０の口部によって第１の突条部２０が外側に向かって押されるため、スカート部１４が広がり、スカート部１４に形成されたスコア部１８に応力がかかる。また、瓶３０の内圧が大きくなると、キャップ１０が上方に押し上げられるような力がかかり、第１の突条部２０が瓶３０の口部によって外側に広がり、スカート部１４に形成されたスコア部１８に応力がかかる。しかしながら、このキャップ１０では、スコア部１８が引き裂かれる起点となる端部が摘み部１６の先端にあり、スカート部１４においてはスコア部１８の裂けが生じにくい構造となっている。そのため、キャップ１０を瓶３０に取り付けたり、瓶３０の内圧が高くなったときに、スコア部１８に意図しない裂けが発生することを防止することができる。
【００１７】
なお、図７に示すように、スカート部１４と摘み部１６との境界部から天面壁１２に向かって延びるように形成されたスコア部１８に続いて、さらにスカート部１４の周方向に沿って延びるようにスコア部１８が形成されてもよい。このようなスコア部１８を形成した場合、図８に示すように、スカート部１４をその周方向に向かって開くことができ、キャップ１０を瓶３０から取り外すときに、スカート部１４による瓶３０への締め付け力をさらに弱めることができる。したがって、キャップ１０を瓶３０に取り付ける場合などにおいては破損しにくく、キャップ１０を瓶３０から取り外すときにおいては、容易にスコア部１８を引き裂くことができるキャップ１０を得ることができる。
【００１８】
また、図９に示すように、スカート部１４の対向する部分に、それぞれ摘み部１６およびスコア部１８を形成してもよい。このように、２つのスコア部１８を形成することにより、スカート部１４を２か所で開くことができ、キャップ１０を瓶３０から取り外すときに、スカート部１４による瓶３０への締め付け力をさらに弱めることができる。このようなキャップ１０においても、スカート部１４から摘み部１６に延びるようにスコア部１８を形成することにより、キャップ１０の取り付け時などにおいて、スコア部１８に意図しない裂けが生じることを防止することができる。
【００１９】
図１０は、この発明のキャップの他の例を示す斜視図である。このキャップ１０では、摘み部１６が、スカート部１４の外周側に向かって突き出すように形成される。また、摘み部１６形成部分において、スカート部１４と摘み部１６との境界部から天面壁１２に向かってスコア部１８が形成され、さらにスカート部１４に形成されたスコア部１８に続いて、スカート部１４と摘み部１６との間にスコア部１８が形成される。さらに、このキャップ１０においては、摘み部１６の近傍に鍔状部２８が形成されている。鍔状部２８は、天面壁１２の反対側において、スカート部１４の端部から外周方向に向かって延びるように形成される。さらに、鍔状部２８とスカート部１４との間には、複数のリブ２８ａが形成される。このリブ２８ａによって、鍔状部２８とスカート部１４との間の強度が高められている。
【００２０】
このキャップ１０では、スカート部１４の端部から天面壁１２に向かってスコア部１８が形成され、それに続いてスカート部１４と摘み部１６との間に延びるようにスコア部１８が形成されているため、スコア部１８の中の天面壁１２に向かって延びる部分には、引き裂かれる起点となるスコア部１８の端部がない。そのため、スカート部１４が広がるような応力がかかっても、スコア部１８に裂けが発生しにくい。
【００２１】
さらに、図１１に示すように、キャップ１０を瓶３０から取り外す際には、摘み部１６を引っ張ることにより、スカート部１４と摘み部１６との間のスコア部１８が引き裂かれ、それに続いて、スカート部１４と摘み部１６との境界部から天面壁１２に向かって延びるスコア部１８が引き裂かれる。スコア部１８を引き裂いたのち、鍔状部２８を持ち上げることにより、引き裂かれたスコア部１８部分においてスカート部１４が開き、容易にキャップ１０を瓶３０から取り外すことができる。このように、キャップ１０を瓶３０から取り外すときには容易にスコア部１８を引き裂くことができ、スカート部１４が広がるような応力がかかったときにはスコア部１８に裂けが発生しにくいキャップ１０を得ることができる。
【００２２】
また、図１２に示すように、スカート部１４と摘み部１６との間にスコア部１８が形成されたキャップ１０においても、スカート部１４と摘み部１６との境界部から天面壁１２に向かって延びるスコア部１８に続いて、スカート部１４の周方向に延びるようにスコア部１８を形成してもよい。このようなキャップ１０では、スコア部１８を引き裂くことにより、スカート部１４を大きく開くことができるため、キャップ１０を瓶３０から取り外すときに、スカート部１４による締め付け力をさらに弱めることができる。
【００２３】
さらに、このような摘み部１６およびスコア部１８が形成されたキャップにおいて、図１３に示すように、スカート部１４の対向する位置に、それぞれ摘み部１６およびスコア部１８を形成してもよい。このキャップ１０の場合、鍔状部２８は、スカート部１４に形成された２つのスコア部１８からほぼ等距離にあるスカート部１４の端部に形成される。このキャップ１０では、スカート部１４の対向する２か所においてスコア部１８を引き裂くことができ、キャップ１０を瓶３０から取り外すときに、スカート部１４による締め付け力をさらに弱めることができる。図１２や図１３に示したキャップ１０においても、キャップ１０を瓶３０に取り付けるときに、スカート部１４の端部においてスコア部１８に裂けが生じることを防止することができる。
【００２４】
図１４は、この発明のキャップのさらに他の例を示す斜視図である。このキャップ１０では、天面壁１２から延びるスカート部１４の方向に向かって、スカート部１４の端部から延びるように、摘み部１６が形成されている。また、摘み部１６形成部分において、スカート部１４と摘み部１６との境界部から天面壁１２に向かってスコア部１８が形成され、このスコア部１８に続いて、スカート部１４と摘み部１６との間にスコア部１８が形成される。さらに、このキャップ１０においては、摘み部１６の近傍に鍔状部２８が形成されている。
【００２５】
このようなキャップ１０においても、スカート部１４の端部から天面壁１２に向かってスコア部１８が形成され、さらにスカート部１４と摘み部１６との間に延びるようにスコア部１８が形成されているため、スコア部１８の中の天面壁１２に向かって延びる部分には、引き裂かれる起点となるスコア部１８の端部がない。そのため、スカート部１４が広がるような応力がかかっても、スコア部１８に裂けが発生しにくい。
【００２６】
また、図１５に示すように、摘み部１６を引っ張ることにより、スカート部１４と摘み部１６との間のスコア部１８が引き裂かれ、それに続いてスカート部１４に形成されたスコア部１８が引き裂かれる。したがって、キャップ１０を瓶３０から取り外す際には、容易にスコア部１８を引き裂くことができる。このように、キャップ１０を瓶３０から取り外すときには容易にスコア部１８を引き裂くことができ、スカート部１４が広がるような応力がかかったときにはスコア部１８に裂けが発生しにくいキャップ１０を得ることができる。
【００２７】
さらに、図１６に示すように、スカート部１４と摘み部１６との境界部から天面壁１２に向かって形成されたスコア部１８に続いて、スカート部１４の周方向に向かって延びるようにスコア部１８が形成されてもよい。このようなキャップ１０では、スコア部１８を引き裂くことにより、スカート部１４を大きく開くことができるため、鍔状部２８を持ち上げてキャップ１０を瓶３０から取り外すときに、スカート部１４による瓶３０への締め付け力をさらに弱くすることができる。
【００２８】
また、図１７に示すように、スカート部１４の対向する位置に、それぞれ摘み部１６およびスコア部１８を形成してもよい。この場合、鍔状部２８は、スカート部１４に形成された２つのスコア部１８から等間隔の位置において、スカート部１４の端部に形成される。このようなキャップ１０では、２つのスコア部１８を引き裂いて、鍔状部２８を持ち上げることにより、スカート部１４を大きく開くことができる。図１６や図１７に示したキャップ１０においても、キャップ１０を瓶３０に取り付けるときに、スカート部１４の端部においてスコア部１８に裂けが生じることを防止することができる。
【００２９】
図１８は、この発明のキャップの別の例を示す斜視図である。このキャップ１０では、天面壁１２から延びるスカート部１４の方向に向かって、スカート部１４の端部から延びるように、摘み部１６が形成されている。また、摘み部１６形成部分において、スカート部１４と摘み部１６との境界部から天面壁１２に向かってスコア部１８が形成され、さらにスカート部１４に形成されたスコア部１８から直線状に連続して、摘み部１６の先端部まで延びるようにスコア部１８が形成される。このキャップ１０においても、摘み部１６の近傍において、スカート部１４の端部に鍔状部２８が形成される。
【００３０】
このようなキャップ１０においても、スカート部１４と摘み部１６との境界部から天面壁１２に向かってスコア部１８が形成され、このスコア部１８に続いて、摘み部１６の先端部に向かって延びるようにスコア部１８が形成されているため、スカート部１４の端部にスコア部１８の端部がない。そのため、スカート部１４が広がるような応力がかかっても、スコア部１８に裂けが発生しにくい。
【００３１】
また、図１９に示すように、摘み部１６を引っ張ることにより、摘み部１６の先端部からスコア部１８が引き裂かれ、摘み部１６に続いてスカート部１４に形成されたスコア部１８が引き裂かれる。したがって、キャップ１０を瓶３０から取り外す際には、容易にスコア部１８を引き裂くことができる。このように、キャップ１０を瓶３０から取り外すときには容易にスコア部１８を引き裂くことができ、スカート部１４が広がるような応力がかかったときにはスコア部１８に裂けが発生しにくいキャップ１０を得ることができる。
【００３２】
さらに、図２０に示すように、摘み部１６の端部から天面壁１２に向かって形成されたスコア部１８に続いて、スカート部１４の周方向に向かって延びるようにスコア部１８が形成されてもよい。このようなキャップ１０では、スコア部１８を引き裂くことにより、スカート部１４を大きく開くことができるため、鍔状部２８を持ち上げてキャップ１０を瓶３０から取り外すときに、スカート部１４による瓶３０への締め付け力をさらに弱くすることができる。
【００３３】
また、図２１に示すように、スカート部１４の対向する位置に、それぞれ摘み部１６およびスコア部１８を形成してもよい。この場合、鍔状部２８は、２つのスコア部１８から等間隔の位置において、スカート部１４の端部に形成される。このようなキャップ１０では、２つのスコア部１８を引き裂いて、鍔状部２８を持ち上げることにより、スカート部１４を大きく開くことができる。図２０や図２１に示したキャップ１０においても、キャップ１０を瓶３０に取り付けるときに、スカート部１４の端部においてスコア部１８に裂けが生じることを防止することができる。
【００３４】
なお、上述の各例においては、スカート部１４に形成されるスコア部１８は、スカート部１４の周方向に対して直交するように形成されているが、図２２に示すように、スコア部１８は、スカート部１４の周方向に対して斜めとなるように形成されてもよい。このようなスカート部１４の周方向に対して斜めとなるスコア部１８は、上述の各例に示すキャップ１０の全てに適用することができる。
【００３５】
このように、引き裂くために用いられる薄肉状のスコア部を有するキャップにおいて、引き裂くための起点となるスコア部の端部が、スカート部と摘み部との境界部からさらに延びた部分に形成されることにより、キャップを瓶などに取り付けるとき、あるいは瓶の内圧が高まったときに、意図しないスコア部の裂けを防止することができる。さらに、このような構造を採用することにより、スコア部の厚みを厚くする必要がなく、キャップを瓶から取り外すときに、容易にスコア部を引き裂くことができる。なお、このキャップは、牛乳瓶に限らず、牛乳以外の内容物を有する瓶に用いられるキャップに用いることができる。
【図面の簡単な説明】
【００３６】
【図１】この発明のキャップの一例を示す斜視図である。
【図２】図１に示すキャップを一方面側からみた平面図である。
【図３】図１に示すキャップを他方面側からみた平面図である。
【図４】図１に示すキャップの側面図である。
【図５】図１に示すキャップを瓶に取り付けた状態を示す図解図である。
【図６】図１に示すキャップを瓶から取り外すためにスコア部を引き裂いた状態を示す斜視図である。
【図７】図１に示すキャップの変形例を示す側面図である。
【図８】図７に示すキャップを瓶から取り外すためにスコア部を引き裂いた状態を示す斜視図である。
【図９】図１に示すキャップの他の変形例を他方面側からみた平面図である。
【図１０】この発明のキャップの他の例を示す斜視図である。
【図１１】図１０に示すキャップを瓶から取り外すためにスコア部を引き裂いた状態を示す斜視図である。
【図１２】図１０に示すキャップの変形例を示す側面図である。
【図１３】図１０に示すキャップの他の変形例を他方面側からみた平面図である。
【図１４】この発明のキャップのさらに他の例を示す斜視図である。
【図１５】図１４に示すキャップを瓶から取り外すためにスコア部を引き裂いた状態を示す斜視図である。
【図１６】図１４に示すキャップの変形例を示す側面図である。
【図１７】図１４に示すキャップのさらに他の変形例を他方面側からみた平面図である。
【図１８】この発明のキャップの別の例を示す斜視図である。
【図１９】図１８に示すキャップを瓶から取り外すためにスコア部を引き裂いた状態を示す斜視図である。
【図２０】図１８に示すキャップの変形例を示す側面図である。
【図２１】図１８に示すキャップの他の変形例を他方面側からみた平面図である。
【図２２】この発明のさらに別の例を示す斜視図である。
【図２３】従来のキャップの一例を示す側面図である。
【図２４】図２３に示す従来のキャップを瓶から取り外すためにスコア部を引き裂いた状態を示す側面図である。
【符号の説明】
【００３７】
１０  キャップ
１２  天面壁
１４  スカート部
１６  摘み部
１８  スコア部
２０  第１の突条部
２２  内周壁
２４  第２の突条部
２６  突起部
２８  鍔状部
３０  瓶
【図１】
2005297995.tif 000003
【図２】
2005297995.tif 000004
【図３】
2005297995.tif 000005
【図４】
2005297995.tif 000006
【図５】
2005297995.tif 000007
【図６】
2005297995.tif 000008
【図７】
2005297995.tif 000009
【図８】
2005297995.tif 000010
【図９】
2005297995.tif 000011
【図１０】
2005297995.tif 000012
【図１１】
2005297995.tif 000013
【図１２】
2005297995.tif 000014
【図１３】
2005297995.tif 000015
【図１４】
2005297995.tif 000016
【図１５】
2005297995.tif 000017
【図１６】
2005297995.tif 000018
【図１７】
2005297995.tif 000019
【図１８】
2005297995.tif 000020
【図１９】
2005297995.tif 000021
【図２０】
2005297995.tif 000022
【図２１】
2005297995.tif 000023
【図２２】
2005297995.tif 000024
【図２３】
2005297995.tif 000025
【図２４】
2005297995.tif 000026